(57)【要約】【課題】未だ使い捨ておむつを装着する必要がある子供を持つ母親に対して望ましい育児環境を提供する。【解決手段】本実施形態に係るシステムは、使い捨ておむつ１００と、携帯通信端末１とを具備するシステムであって、使い捨ておむつ１００には、所定画像１１０が付与されており、携帯通信端末１は、撮影部１３と、撮影部１３によって撮影された全体画像２０内に所定画像１１０が認識された場合、全体画像２０と共に、所定画像１１０に関連付けられている画像２１、文字２２及び音声の少なくとも１つを出力するように構成されている表示部１５とを具備する。【選択図】図４
2015041905.tif 000002
【特許請求の範囲】
【請求項１】
使い捨ておむつと、携帯通信端末とを具備するシステムであって、
前記使い捨ておむつには、所定画像が付与されており、
前記携帯通信端末は、
撮影部と、
前記撮影部によって撮影された全体画像内に前記所定画像が認識された場合、前記全体画像と共に、前記所定画像に関連付けられている画像、文字及び音声の少なくとも１つを出力するように構成されている表示部とを具備することを特徴とするシステム。
【請求項２】
前記表示部は、前記全体画像内に着用者の顔及び前記所定画像が認識された場合、前記全体画像と共に、前記所定画像に関連付けられている画像、文字及び音声の少なくとも１つを出力するように構成されていることを特徴とする請求項１に記載のシステム。
【請求項３】
前記所定画像は、前記使い捨ておむつの前胴回り域における領域の非肌当接面側から視認可能なように付与されていることを特徴とする請求項１に記載のシステム。
【請求項４】
撮影部と、
前記撮影部によって撮影された全体画像内に所定画像が認識された場合、前記全体画像と共に、前記所定画像に関連付けられている画像、文字及び音声の少なくとも１つを出力するように構成されている表示部とを具備することを特徴とする携帯通信端末。
【請求項５】
前記表示部は、前記全体画像内に着用者の顔及び前記所定画像が認識された場合、前記全体画像と共に、前記所定画像に関連付けられている画像、文字及び音声の少なくとも１つを出力するように構成されていることを特徴とする請求項４に記載の携帯通信端末。
【請求項６】
前記表示部は、前記全体画像内に前記着用者の顔が認識されない場合、前記画像、前記文字及び音声を表示することなく、所定メッセージを出力するように構成されていることを特徴とする請求項５に記載の携帯通信端末。
【請求項７】
前記表示部は、前記全体画像内に、使い捨ておむつを装着した着用者の画像、前記着用者の顔及び前記所定画像が認識された場合、前記全体画像と共に、前記所定画像に関連付けられている画像、文字及び音声の少なくとも１つを出力するように構成されていることを特徴とする請求項４に記載の携帯通信端末。
【請求項８】
前記表示部は、前記全体画像内における前記着用者の状態に基づいて、表示すべき前記画像、前記文字及び前記音声を変更するように構成されていることを特徴とする請求項４乃至７のいずれか一項に記載の携帯通信端末。
【請求項９】
コンピュータを、請求項４乃至８のいずれか一項に記載の携帯通信端末として動作させるためのプログラム。
【請求項１０】
請求項１乃至３のいずれか一項に記載のシステムで用いられる使い捨ておむつ。
【発明の詳細な説明】
【技術分野】
【０００１】
本発明は、システム、携帯通信端末、プログラム及び使い捨ておむつに関する。
【背景技術】
【０００２】
一般に、乳幼児の排泄処理には、使い捨ておむつが使われる機会が多く、乳幼児に対しては、母親が使い捨ておむつの交換を行うケースが多い。基本的に、母親は、我が子である乳幼児を可愛いと思うため、乳幼児のために、かかる使い捨ておむつの交換や授乳等を頑張ろうと思っている。
【先行技術文献】
【特許文献】
【０００３】
【特許文献１】特開２００８-１９４３２３号公報
【発明の概要】
【発明が解決しようとする課題】
【０００４】
一般的に、低月齢期は、母子相互のコミュニケーションの形成に最も重要な時期と考えられている。しかしながら、低月齢期の乳幼児は、睡眠サイクルが整っておらず、母親は、２〜３時間おきに授乳や使い捨ておむつの交換を行う必要があり、特に、低月齢期は、母親にとって身体的にも精神的にも負担が重い時期である。
【０００５】
ここで、育児が初めての場合や、周囲の支援が十分得られない場合には、未だ使い捨ておむつを装着する必要がある子供を持つ母親に対して望ましい育児環境を提供することができ難いという問題点があった。
【０００６】
そこで、本発明は、上述の課題に鑑みてなされたものであり、未だ使い捨ておむつを装着する必要がある子供を持つ母親に対して望ましい育児環境を提供することができるシステム、携帯通信端末、プログラム及び使い捨ておむつを提供することを目的とする。
【課題を解決するための手段】
【０００７】
本発明の第１の特徴は、使い捨ておむつと、携帯通信端末とを具備するシステムであって、前記使い捨ておむつには、所定画像が付与されており、前記携帯通信端末は、撮影部と、前記撮影部によって撮影された全体画像内に前記所定画像が認識された場合、前記全体画像と共に、前記所定画像に関連付けられている画像、文字及び音声の少なくとも１つを出力するように構成されている表示部とを具備することを要旨とする。
【０００８】
本発明の第２の特徴は、携帯通信システムであって、撮影部と、前記撮影部によって撮影された全体画像内に所定画像が認識された場合、前記所定画像が認識された場合、前記全体画像と共に、前記所定画像に関連付けられている画像、文字及び音声の少なくとも１つを出力するように構成されている表示部とを具備することを要旨とする。
【０００９】
本発明の第３の特徴は、コンピュータを、上述の携帯通信端末として動作させるためのプログラムであることを要旨とする。
【００１０】
本発明の第４の特徴は、上述のシステムで用いられる使い捨ておむつであることを要旨とする。
【発明の効果】
【００１１】
以上説明したように、本発明によれば、未だ使い捨ておむつを装着する必要がある子供を持つ母親に対して望ましい育児環境を提供することができるシステム、携帯通信端末、プログラム及び使い捨ておむつを提供することができる。
【図面の簡単な説明】
【００１２】
【図１】本発明の第１の実施形態に係るシステムの全体構成図である。
【図２】本発明の第１の実施形態に係る使い捨ておむつ及び携帯通信端末について説明するための図である。
【図３】本発明の第１の実施形態に係る携帯通信端末の機能ブロック図である。
【図４】本発明の第１の実施形態に係る携帯通信端末の使用方法を説明するための図である。
【図５】本発明の第１の実施形態に係る携帯通信端末の使用方法を説明するための図である。
【図６】本発明の第１の実施形態に係る携帯通信端末の使用方法を説明するための図である。
【図７】本発明の第１の実施形態に係る携帯通信端末の動作を示すフローチャートである。
【発明を実施するための形態】
【００１３】
（第１の実施形態）
図１乃至図７を参照して、本発明の第１の実施形態に係るシステムについて説明する。
【００１４】
図１に示すように、本実施形態に係るシステムは、使い捨ておむつ１００と、携帯通信端末１と、サーバ装置２とによって構成される。ここで、携帯通信端末１及びサーバ装置２は、無線ネットワーク等の通信ネットワーク３によって接続可能である。
【００１５】
ここで、本実施形態に係る使い捨ておむつ１００は、パンツ型の使い捨ておむつであってもよいし、テープ型の使い捨ておむつであってもよい。
【００１６】
また、図１に示すように、本実施形態に係る使い捨ておむつ１００には、所定画像１１０が付与されている。
【００１７】
ここで、例えば、かかる所定画像１１０は、ＡＲ（Ａｕｇｍｅｎｔｅｄ  Ｒｅａｌｉｔｙ）マーカであってもよいし、ＱＲコードであってもよいし、バーコードであってもよいし、使い捨ておむつ１００のロゴを表す画像であってもよいし、特定のキャラクターを表す画像であってもよい。また、所定画像１１０は、これらのうちのいくつかの組み合わせであってもよい。
【００１８】
なお、かかる所定画像１１０は、携帯通信端末１によって認識されることにより、後述する携帯通信端末１の機能の動作を開始させるトリガ、或いは、携帯通信端末１にインストールされているコンピュータを動作可能なプログラム（アプリケーション）を起動させるトリガとなり得る画像であるものとする。
【００１９】
なお、図２に示すように、かかる所定画像１１０は、使い捨ておむつ１００の前胴回り域における領域１２０の非肌当接面側から視認可能なように付与されていてもよい。
【００２０】
例えば、かかる領域１２０は、使い捨ておむつ１００の前胴回り域に設けられている弾性部材と平面視において重なることがない領域であってもよいし、吸収コアと平面視において少なくとも一部で重なる領域（より好ましくは、吸収コアと平面視において全て重なる領域）であってもよいし、ファスニングテープが設けられている領域の非肌当接面側の領域であってもよいし、装着時に着用者の背側領域又は腹側領域に相当する領域であってもよい。
【００２１】
なお、かかる領域１２０は、特に、使い捨ておむつ１００の製品幅方向の中央を跨ぎ、着用者の腹側領域に相当する領域であってもよい。かかる構成によれば、かかる領域１２０が、着用者の身体の凹凸が少ない領域に配置されるため、図柄に皺等が入ることが少なく画像認識がし易いという効果を奏することができる。
【００２２】
かかる領域１２０は、使い捨ておむつ１００が装着された状態において、より平坦な部分なり易いと考えられるため、かかる領域１２０に所定画像１１０を付与することで、所定画像１１０を形状が崩れないまま肌非当接面側から視認可能な状態として維持しやすい。
【００２３】
また、例えば、かかる携帯通信端末１は、タブレット端末や、ノート型のパーソナルコンピュータや、スマートフォン等の携帯電話端末等によって構成されている。
【００２４】
図３に示すように、かかる携帯通信端末１は、取得部１１と、記憶部１２と、撮影部１３と、処理部１４と、表示部１５とを具備している。
【００２５】
取得部１１は、携帯通信端末１に搭載されている通信機器（通信モジュール）を用いて、サーバ装置２等から、様々な画像や文字についての情報を取得するように構成されている。
【００２６】
記憶部１２は、携帯通信端末１内に搭載されているハードディスクやメモリ等を用いて、取得部１１によって取得された画像や文字や音声を所定画像１１０に関連付けて記憶するように構成されている。
【００２７】
撮影部１３は、被写体（例えば、使い捨ておむつ１００が装着されている乳幼児等の着用者）を撮影するように構成されている。ここで、撮影部１３は、撮影部１３は、携帯通信端末１に内蔵されているデジタルカメラ機能によって構成されていてもよい。
【００２８】
処理部１４は、表示部１５によって表示すべき内容を示す表示情報を生成するように構成されている。具体的には、図２に示すように、処理部１４は、撮影部１３によって撮影された全体画像２０及び記憶部１２に記憶されている画像２１や文字２２や音声に基づいて、表示部１５によって表示すべき内容を示す表示情報を生成するように構成されている。
【００２９】
表示部１５は、処理部１４によって生成された表示情報に基づく表示を行うように構成されている。
【００３０】
例えば、表示部１５は、携帯通信端末１に搭載されているディスプレイやスピーカ等の表示装置を介して、上述の表示情報を出力するように構成されている。
【００３１】
具体的には、表示部１５は、撮影部１３によって撮影された全体画像２０内に所定画像１１０が認識された場合、全体画像２０と共に、所定画像１１０に関連付けられている画像２１、文字２２及び音声の少なくとも１つを出力するように構成されている。
【００３２】
なお、表示部１５は、撮影部１３によって撮影された全体画像２０内に着用者Ｘの顔及び所定画像１１０が認識された場合、所定画像１１０に関連付けられている画像２１及び文字２２の少なくとも１つを表示するように構成されていてもよい。
【００３３】
さらに、表示部１５は、撮影部１３によって撮影された全体画像２０内に、使い捨ておむつ１００を装着した着用者Ｘの画像、着用者Ｘの顔及び所定画像１１０が認識された場合に、全体画像２０と共に、所定画像１１０に関連付けられている画像、文字及び音声の少なくとも１つを出力するように構成されていてもよい。
【００３４】
ここで、撮影部１３によって撮影された全体画像２０内に、使い捨ておむつ１００を装着した着用者Ｘの画像、着用者Ｘの顔及び所定画像１１０が認識されたか否かについての判定は、処理部１４によって行われてもよいし、撮影部１３によって行われてもよい。
【００３５】
また、表示部１５は、撮影部１３によって撮影された全体画像２０内における着用者Ｘの状態（例えば、表情）に応じて、表示すべき画像２１や文字２２や音声を決定するように構成されていてもよい。
【００３６】
例えば、図４（ａ）に示すように、使い捨ておむつ１００の着用者Ｘが寝ている状態において、図４（ｂ）に示すように、撮影部１３が、かかる着用者Ｘを撮影すると、図４（ｃ）に示すように、表示部１５は、ディスプレイに、全体画像２０に加えて、所定画像１１０に関連付けられている文字として「ママ、いつもありがとう！」と出力するように構成されていてもよい。
【００３７】
或いは、図５（ａ）に示すように、使い捨ておむつ１００の着用者Ｘが笑っている状態において、図５（ｂ）に示すように、撮影部１３が、かかる着用者Ｘを撮影すると、図５（ｃ）に示すように、表示部１５は、ディスプレイに、全体画像２０に加えて、所定画像１１０に関連付けられている文字として「ママのことだいすき！」と出力するように構成されていてもよい。
【００３８】
ここで、かかる着用者Ｘの状態（例えば、表情）は、処理部１４によって判定されてもよいし、撮影部１３によって判定されてもよい。
【００３９】
一方、表示部１５は、撮影部１３によって撮影された全体画像２０内に着用者Ｘの顔が認識されない場合、所定画像１１０に関連付けられている画像２１及び文字２２を表示することなく、所定メッセージ２３を出力するように構成されている。ここで、かかる所定メッセージ２３は、画像、文字及び音声の少なくとも１つによって構成されていてもよい。
【００４０】
例えば、図６（ａ）に示すように、使い捨ておむつ１００が着用者Ｘに装着されていない状態において、図６（ｂ）に示すように、撮影部１３が、かかる使い捨ておむつ１００を撮影すると、図６（ｃ）に示すように、表示部１５は、ディスプレイに、全体画像２０に加えて、所定画像１１０に関連付けられている画像及び文字を表示する代わりに、着用者Ｘが移っていない旨を通知する所定メッセージ２３として「赤ちゃんが写っていません！」とを出力するように構成されていてもよい。
【００４１】
なお、携帯通信端末１は、コンピュータを動作可能なプログラム（アプリケーション）によって、上述の取得部１１、記憶部１２、撮影部１２、処理部１４及び表示部１５を実現するように構成されていてもよい。
【００４２】
ここで、携帯通信端末１は、携帯通信端末１の利用者からの要求に応じて、所定サーバ装置から、かかるコンピュータを動作可能なプログラム（アプリケーション）をダウンロードすることができるように構成されていてもよいし、リムーバブルデバイス等を介して、かかるコンピュータを動作可能なプログラム（アプリケーション）を取得するように構成されていてもよい。
【００４３】
以下、図７を参照して、本実施形態に係る携帯通信端末１の動作の一例について説明する。
【００４４】
図７に示すように、携帯通信端末１は、ステップＳ１０１において、携帯通信端末１の利用者からの要求に応じて、上述のアプリケーションを起動し、ステップＳ１０２において、携帯通信端末１に内蔵されているカメラ機能等のパラメータを設定する。
【００４５】
ステップＳ１０３において、処理部１４は、記憶部１３によって記憶されている画像や文字をロードし、ステップＳ１０４において、撮影部１３は、被写体として、使い捨ておむつ１が装着されている着用者Ｘを撮影する。
【００４６】
処理部１４は、ステップＳ１０５において、撮影部１３から全体画像２０を取得すると、ステップＳ１０６において、かかる全体画像２０内に着用者Ｘの顔が認識されるか否かについて判定する。
【００４７】
かかる全体画像２０内に着用者Ｘの顔が認識されなかった場合、ステップＳ１０７において、表示部１５は、着用者Ｘが写っていない旨を通知するための所定メッセージ２３を出力する。
【００４８】
一方、かかる全体画像２０内に着用者Ｘの顔が認識された場合、ステップＳ１０８において、表示部１５は、全体画像２０を表示し、処理部１４は、ステップＳ１０９において、全体画像２０から所定画像（例えば、ＡＲマーカ）１１０を検出・認識し、ステップＳ１１０において、かかる所定画像１１０に関連付けられている画像２１や文字２２や音声を選択する。
【００４９】
また、処理部１４は、ステップＳ１１１〜Ｓ１１３において、所定画像１１０に関連付けられている画像や文字の表示位置を算出する。
【００５０】
ステップＳ１１４において、表示部１５は、全体画像２０内の表示位置に、選択された画像２２や文字２３や音声を出力する。
【００５１】
ステップＳ１１５において、携帯通信端末１は、携帯通信端末１の利用者からの要求に応じて、上述のアプリケーションを終了する。
【００５２】
本実施形態に係るシステムによれば、母親が、使い捨ておむつ１００交換作業を行っている際に、擬似的に、着用者Ｘとしての乳幼児が、携帯通信端末１を介して、母親自身に話しかけているような状況を構築することができるため、母親の心理面に働きかけて、母子相互のコミュニケーションを一段高める効果を提供することができる。
【００５３】
その結果、未だ使い捨ておむつを装着する必要がある子供（特に、低月齢期の乳幼児）を持つ母親に対して望ましい育児環境を提供することができる。
【００５４】
母親は、自分の子供の姿を見たときに、母性に基づいて、右前頭野（報酬系の一部）の活動が活性化されることが証明されている。したがって、母親が、自分の子供の姿を見ることで、愛おしさを感じ、健全な母子相互のコミュニケーションが育まれ、望ましい育児環境が実現される。よって、着用者の顔が認識された場合に、画像や文字や音声等の擬似的なコミュニケーションが発せられることがより好ましい。
【００５５】
また、本実施形態に係るシステムによれば、擬似的に、未だ使い捨ておむつを装着する必要がある子供（特に、低月齢期の乳幼児）が、母親を励ましたり褒めたりすることができるので、使い捨ておむつ１００の交換作業が楽しくなり、気持ちが少しでも楽になり癒されるという効果を奏することができる。
【００５６】
その結果、母親の自分の子供への愛情がさらに湧き、そのような状態で母親に接してもらうことによって、子供にとって精神的及び肉体的発達に良い条件が整う。
【００５７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５８】
１…携帯通信端末
２…サーバ装置
３…通信ネットワーク
１１…取得部
１２…記憶部
１３…撮影部
１４…処理部
１５…表示部
１００…使い捨ておむつ
１１０…ＡＲマーカ
Ｘ…着用者
【図１】
2015041905.tif 000003
【図２】
2015041905.tif 000004
【図３】
2015041905.tif 000005
【図４】
2015041905.tif 000006
【図５】
2015041905.tif 000007
【図６】
2015041905.tif 000008
【図７】
2015041905.tif 000009